(57)【要約】【課題】  譜面台として十分な高さを確保し、蓋体の開閉時における操作性および安全性を確保する。【解決手段】  後蓋体１０と前蓋体１１とのうち、後蓋体１０の後端部を固定連結部１２によって楽器本体１に回動可能に取り付け、後蓋体１０と前蓋体１１とを可動連結部１３によって回動可能に連結すると共に後蓋体１０の裏面に沿って相対的に移動可能に保持した。従って、開蓋時に後蓋体１０が固定連結部１２を中心に上方に向けて回動すると共に、後蓋体１０と前蓋体１１とが可動連結部１３によって回動すると共にスライドし、後蓋体１０と前蓋体１１とを楽器本体１上に起立させることができる。これにより、譜面台として使用することができると共に、前蓋体１１を後蓋体１０の前後方向の長さよりも大きく形成できるので、譜面台として十分な高さを確保できるほか、開閉時に後蓋体１０と前蓋体１１との操作性が良く、安全性をも確保できる。【選択図】        図２
2006023411.tif 000002
【特許請求の範囲】
【請求項１】
楽器本体に配置された鍵盤部の上方を開閉自在に覆う鍵盤蓋において、
少なくとも前後２つに分割された複数の蓋体と、
後部側に位置する蓋体の後端部を前記楽器本体に回動可能に取り付ける固定連結部と、
前記後部側の蓋体とその前部側に位置する蓋体とを回動可能に連結する回動部、およびこの回動部を前記後部側の蓋体と前記前部側の蓋体との一方の裏面に沿って相対的に移動可能に保持するスライド部を有する可動連結部と
を備えたことを特徴とする鍵盤蓋。
【請求項２】
前記可動連結部の前記スライド部は、前記回動部を前記前部側の蓋体の裏面に沿って移動可能に保持することを特徴する請求項１に記載の鍵盤蓋。
【請求項３】
前記可動連結部の前記スライド部は、前記回動部を前記後部側の蓋体の裏面に沿って移動可能に保持することを特徴する請求項１に記載の鍵盤蓋。
【請求項４】
前記可動連結部は、開蓋時に前記後部側の蓋体と前記前部側の蓋体とを相対的に所定角度回動させた後に、前記回動部が前記スライド部に沿って相対的に移動する構成であることを特徴する請求項１〜３のいずれかに記載の鍵盤蓋。
【請求項５】
前記可動連結部は、開蓋時に前記回動部が前記スライド部に沿って相対的に移動した後に、前記回動部を中心に前記後部側の蓋体と前記前部側の蓋体とが相対的に回動する構成であることを特徴する請求項１〜３のいずれかに記載の鍵盤蓋。
【請求項６】
前記前部側の蓋体における前端部には、前記楽器本体に設けられたガイド部に沿って移動するガイド突起が設けられ、前記ガイド部の後端部には、前記ガイド突起を係脱可能に係止する係止部が設けられていることを特徴する請求項１〜５のいずれかに記載の鍵盤蓋。
【請求項７】
前記係止部は、前記ガイド部に対する前記ガイド突起の係止位置を変えて係脱可能に係止する複数の係止凹部を有していることを特徴する請求項６に記載の鍵盤蓋。
【発明の詳細な説明】
【技術分野】
【０００１】
この発明は、電子ピアノや電子オルガンなどの鍵盤楽器に用いられる鍵盤蓋に関する。
【背景技術】
【０００２】
従来、電子ピアノなどの鍵盤楽器の鍵盤蓋においては、特許文献１に記載されているように、第１、第２の蓋体を備え、第１の蓋体の後端を楽器本体に回動可能に枢着し、第１の蓋体の前端と第２の蓋体の後端とを回動可能に枢着し、開蓋時に第１の蓋体がその後端の枢着部を中心に上方に向けて回動すると共に、第１、第２の蓋体の連結部分に位置する枢着部が上方に移動しながら第１、第２の蓋体が折れ曲がって起立することにより、譜面台として使用するように構成されたものがある。
【特許文献１】実開昭６１−１２８６９４号公報
【発明の開示】
【発明が解決しようとする課題】
【０００３】
しかしながら、このような従来の鍵盤蓋では、開蓋時に第１、第２の蓋体の連結部分に位置する枢着部を中心に第１の蓋体と第２の蓋体とが回動しながら、その枢着部が上方に移動して第１、第２の蓋体が折れ曲がって起立する構成であるから、第１の蓋体と第２の蓋体とをほぼ同じ大きさに形成しなければ、第１、第２の蓋体を最大限の高さに起立させることができないという問題がある。
【０００４】
このため、例えば奥行きの小さい楽器本体の場合には、第１、第２の蓋体を十分な大きさに形成することができないため、譜面台として十分な高さが得られないという問題が生じる。また逆に、奥行きの大きい楽器本体の場合には、第１、第２の蓋体を大きく形成することができるため、譜面台として十分な高さが得られるが、第１、第２の蓋体の重量が重くなるため、開閉時に第１、第２の蓋体を軽い力で安全に開閉させるためのダンパー部材が必要になるという問題が生じる。
【０００５】
この発明が解決しようとする課題は、複数の蓋体のうち、少なくとも１つの蓋体を大きく形成することができ、これにより譜面台として十分な高さを確保できると共に、蓋体の開閉時における操作性が良く、安全性をも確保できる鍵盤蓋を提供することである。
【課題を解決するための手段】
【０００６】
この発明は、上記課題を解決するために、次のような構成要素を備えている。
なお、各構成要素には、後述する各実施形態の項で説明される各要素に付されている図面の参照番号などを括弧と共に付す。
【０００７】
請求項１に記載の発明は、図１〜図２３に示すように、楽器本体（１）に配置された鍵盤部（６）の上方を開閉自在に覆う鍵盤蓋において、少なくとも前後２つに分割された複数の蓋体（後蓋体１０または３１と前蓋体１１または３２）と、後部側に位置する蓋体（後蓋体１０、３１）の後端部を前記楽器本体に回動可能に取り付ける固定連結部（１２）と、前記後部側の蓋体とその前部側に位置する蓋体（前蓋体１１、３２）とを回動可能に連結する回動部（回動軸１４、２１、３４）、およびこの回動部を前記後部側の蓋体と前記前部側の蓋体との一方の裏面に沿って相対的に移動可能に保持するスライド部（１５、２２、３５）を有する可動連結部（１３、２０、３３）とを備えたことを特徴とする鍵盤蓋（８、３０）である。
【０００８】
請求項２に記載の発明は、図１〜図１５に示すように、前記可動連結部（１３、２０）の前記スライド部（１５、２２）が、前記回動部（回動軸１４、２１）を前記前部側の蓋体（前蓋体１１、３２）の裏面に沿って移動可能に保持することを特徴する請求項１に記載の鍵盤蓋（８）である。
【０００９】
請求項３に記載の発明は、図１６〜図２２に示すように、前記可動連結部（３３）の前記スライド部（３５）が、前記回動部（回動軸３４）を前記後部側の蓋体（後蓋体３１）の裏面に沿って移動可能に保持することを特徴する請求項１に記載の鍵盤蓋（３０）である。
【００１０】
請求項４に記載の発明は、図１〜図１１、図１６〜図２２に示すように、前記可動連結部（１３、３３）は、開蓋時に前記後部側の蓋体（後蓋体１０、３１）と前記前部側の蓋体（前蓋体１１、３２）とを相対的に所定角度回動させた後に、前記回動部（回動軸１４、３４）が前記スライド部（１５、３５）に沿って相対的に移動する構成であることを特徴する請求項１〜３のいずれかに記載の鍵盤蓋である。
【００１１】
請求項５に記載の発明は、図１２〜図１５に示すように、前記可動連結部（２０）は、開蓋時に前記回動部（回動軸２１）が前記スライド部（２２）に沿って相対的に移動した後に、前記回動部を中心に前記後部側の蓋体（後蓋体１０）と前記前部側の蓋体（前蓋体１１）とが相対的に回動する構成であることを特徴する請求項１〜３のいずれかに記載の鍵盤蓋。
【００１２】
請求項６に記載の発明は、図１〜図２３に示すように、前記前部側の蓋体（前蓋体１１、３２）における前端部には、前記楽器本体（１）に設けられたガイド部（ガイド溝１６）に沿って移動するガイド突起（１７）が設けられ、前記ガイド部の後端部には、前記ガイド突起を係脱可能に係止する係止部（１８、４０）が設けられていることを特徴する請求項１〜５のいずれかに記載の鍵盤蓋である。
【００１３】
請求項７に記載の発明は、図１〜図２３に示すように、前記係止部（１８、４０）が、前記ガイド部（ガイド溝１６）に対する前記ガイド突起（１７）の係止位置を変えて係脱可能に係止する複数の係止凹部（１８ａ〜１８ｃ、４０ａ〜４０ｃ）を有していることを特徴する請求項６に記載の鍵盤蓋である。
【発明の効果】
【００１４】
請求項１に記載の発明によれば、少なくとも前後２つに分割された複数の蓋体のうち、後部側の蓋体の後端部が固定連結部によって楽器本体に回動可能に取り付けられ、前後２つの蓋体が可動連結部の回動部によって回動可能に連結されていると共に、この回動部が可動連結部のスライド部によって前後２つの蓋体の一方の裏面に沿って相対的に移動可能に保持されているので、開蓋時に後部側の蓋体が固定連結部を中心に上方に向けて回動すると共に、前後２つの蓋体が可動連結部の回動部を中心に回動しながら、この回動部が押し上げられると共に可動連結部のスライド部に沿って移動することにより、前後２つの蓋体が楽器本体上に起立する。これにより、楽器本体上に起立した前後２つの蓋体を譜面台として使用することができる。
【００１５】
この場合には、特に前後２つの蓋体を連結する可動連結部の回動部が可動連結部のスライド部に沿って移動可能に保持されているので、前後２つの蓋体のうち、一方の蓋体を他方の蓋体における前後方向の長さよりも大きく形成することができる。このため、大きく形成された一方の蓋体によって譜面台として十分な高さを確保することができる。また、開閉時に前後２つの蓋体が可動連結部の回動部を中心に回動すると共に可動連結部のスライド部に沿って相対的に移動するので、前後２つの蓋体のうち、一方の蓋体が他方の蓋体を支持する支え棒として機能するので、従来例のようなダンパー部材を用いなくても、前後２つの蓋体を軽い力で開閉させることができ、これにより開閉時における蓋体の操作性が良く、安全性をも確保することができる。
【００１６】
請求項２に記載の発明によれば、可動連結部のスライド部が回動部を前部側の蓋体の裏面に沿って移動可能に保持することにより、前後２つの蓋体のうち、前部側の蓋体を後部側の蓋体における前後方向の長さよりも大きく形成することができる。このため、例えば奥行きの小さい楽器本体の場合でも、譜面台として使用するときに前部側の蓋体によって十分な高さを確保することができる。この場合には、特に前後２つの蓋体を開いて起立させるときに、後部側の蓋体が前部側の蓋体を支持する支え棒として機能するので、軽い力で蓋体を開閉することができ、これにより開閉操作性が良く、安全性をも確保することができる。また、前部側の蓋体で後部側の蓋体を楽器本体の前面側から見えないように隠すことができると共に、この前部側の蓋体の表面を楽器本体の前面側に向けることができるので、外観的にもデザイン的にも好ましいものを得ることができる。
【００１７】
請求項３に記載の発明によれば、可動連結部のスライド部が回動部を後部側の蓋体の裏面に沿って移動可能に保持することにより、前後２つの蓋体のうち、後部側の蓋体を前部側の蓋体における前後方向の長さよりも大きく形成することができる。このため、例えば奥行きの小さい楽器本体の場合でも、譜面台として使用するときに後部側の蓋体によって十分な高さを確保することができる。この場合にも、前後２つの蓋体を開いて起立させるときに、前部側の蓋体が後部側の蓋体を支持する支え棒として機能するので、軽い力で蓋体を開閉することができ、これによっても開閉操作性が良く、安全性をも確保することができる。
【００１８】
請求項４に記載の発明によれば、可動連結部は、開蓋時に後部側の蓋体と前部側の蓋体とを相対的に所定角度回動させた後に、回動部がスライド部に沿って相対的に移動する構成であることにより、開蓋時に前後２つの蓋体が可動連結部の回動部を中心に回動するときに前後２つの蓋体全体の重量が加わっても、所定角度回動して回動部がスライド部に沿って移動するときには、前部側の蓋体と後部側の蓋体との一方が他方を支持する支え棒としての機能を果たすので、前後２つの蓋体の全重量がそのまま加わることがなく、軽い力で容易に蓋体を開くことができる。また、閉蓋時には可動連結部の回動部がスライド部に沿って移動した後、前後２つの蓋体が回動部を中心に回動して鍵盤部の上方を覆って閉じるので、前後２つの蓋体が急激に閉じるのを防ぐことができる。このため、従来例のようなダンパー部材を用いなくても、開閉操作性が良く、安全性の高いものを得ることができる。
【００１９】
請求項５に記載の発明によれば、可動連結部は、開蓋時に回動部がスライド部に沿って相対的に移動した後に、その回動部を中心に後部側の蓋体と前部側の蓋体とが相対的に回動する構成であることにより、開蓋時には、まず、回動部がスライド部に沿って相対的にスライドするので、前部側の蓋体のみをスライドさせれば良く、しかも回動部がスライド部の端部に当接した後に、前部側の蓋体と後部側の蓋体とが回動部を中心に回動するときに、前部側の蓋体と後部側の蓋体との一方が他方を支持する支え棒としての機能を果たすので、前後２つの蓋体の全重量がそのまま加わることがなく、軽い力で容易に蓋体を開くことができる。また、閉蓋時には前後２つの蓋体が回動部を中心に回動した後に、可動連結部の回動部がスライド部に沿って相対的に移動して、前後２つの蓋体が鍵盤部の上方を覆って閉じるので、これによっても前後２つの蓋体が急激に閉じるのを防ぐことができる。このため、請求項４に記載の発明と同様、従来例のようなダンパー部材を用いなくても、開閉操作性が良く、安全性の高いものを得ることができる。
【００２０】
請求項６に記載の発明によれば、前部側の蓋体における前端部に、楽器本体に設けられたガイド部に沿って移動するガイド突起が設けられ、このガイド部の後端部には、ガイド突起を係脱可能に係止する係止部が設けられていることにより、蓋体の開閉時には前部側の蓋体に設けられたガイド突起がガイド部に沿って移動するので、前部側の蓋体を円滑に移動させることができると共に、前部側の蓋体が完全に開いて起立したときには、ガイド突起が楽器本体の係止部に係止されるので、前後２つの蓋体が勝手に閉じるのを確実に防ぐことができ、これによっても安全性の高いものを得ることができる。
【００２１】
請求項７に記載の発明によれば、係止部がガイド部に対するガイド突起の係止位置を変えて係脱可能に係止する複数の係止凹部を有していることにより、前後２つの蓋体を完全に開いて起立させたときに、前部側の蓋体のガイド突起を係止部の複数の係止凹部のいずれかに係止させることにより、楽器本体に対する前部側の蓋体の傾きを変えることができ、これにより使用者の好みに応じて楽器本体上に起立した後部側の蓋体と前部側の蓋体との両者の傾きを調節することができる。
【発明を実施するための最良の形態】
【００２２】
（実施形態１）
以下、図１〜図１１を参照して、この発明を適用した鍵盤楽器の鍵盤蓋の実施形態１について説明する。
図１はこの発明を適用した鍵盤楽器の鍵盤蓋を閉じた状態の一部破断した側面図、図２は図１の鍵盤蓋を開いた状態の一部破断した側面図である。
この鍵盤楽器は、図１および図２に示すように、楽器本体１を備えている。この楽器本体１は、前板２、後板３、左右一対の側板４、および底板５を備え、これらによってほぼ箱形に構成されている。この楽器本体１の内部には、多数の白鍵および黒鍵が鍵盤シャーシ上に配列された鍵盤部６が設けられており、この鍵盤部６の上部後方には、表示パネル７が設けられている。
【００２３】
また、楽器本体１の上部には、図１および図２に示すように、鍵盤部６および表示パネル７の上方を覆う鍵盤蓋８が開閉自在に設けられている。この鍵盤蓋８は、前後２つに分割された後蓋体１０と前蓋体１１とを備えている。後蓋体１０は、その後部（図１では右側部）が楽器本体１の左右一対の側板４に固定連結部１２によって上下方向に回動可能に取り付けられている。この固定連結部１２は、左右一対の側板４の内面にそれぞれ固定された軸１２ａを後蓋体１０の後部両側に回動可能にそれぞれ取り付けることにより、これら軸１２ａを中心に後蓋体１０が上下方向に回動するように構成されている。
【００２４】
前蓋体１１は、図１および図２に示すように、後蓋体１０の前端（図１では左端部）に可動連結部１３によって回動可能で且つスライド可能に連結されている。この可動連結部１３は、図６〜図９に示すように、後蓋体１０の前端に設けられた回動軸１４と、この回動軸１４を前蓋体１１の裏面（図６では下面）に沿って前後方向に移動可能に保持するスライド部１５とを備えている。この場合、回動軸１４は、その形状が丸棒の両側を切り欠いた形状のほぼ板状に形成されている。スライド部１５は、前蓋体１１の前後方向に沿って設けられた帯板状に形成され、その後端部にほぼ円形状の軸受孔１５ａが形成されていると共に、この軸受孔１５ａから前側（図６では左側）に向けて連続するスライド溝１５ｂが回動軸１４の直径よりも少し狭い幅で形成された構成になっている。
【００２５】
これにより、可動連結部１３は、図７に示すように、回動軸１４がガイド部１５の軸受孔１５ａに配置された状態で、後蓋体１０と前蓋体１１とを開くときに、図８に示すように、回動軸１４が軸受孔１５ａ内で回動しながら上方に移動することにより、後蓋体１０と前蓋体１１とが軸受孔１５ａ内に位置する回動軸１４を中心に回動しながら徐々に開き、回動軸１４が所定角度回動すると、図９に示すように、回動軸１４がスライド部１５のスライド溝１５ｂ内に挿入可能な状態になり、この状態で回動軸１４がスライド溝１５ｂ内を相対的に移動することにより、図２に示すように、前蓋体１１の後部を後蓋体１０の上部後方に突出させながら、後蓋体１０と前蓋体１１とを楽器本体１上に起立させるように構成されている。
【００２６】
この場合、後蓋体１０と前蓋体１１とは、図１および図２に示すように、それぞれ異なる大きさで形成されている。すなわち、後蓋体１０は、前蓋体１１の前後方向における長さのほぼ半分の大きさに形成され、その後端部が円弧状に湾曲して形成され、この湾曲した部分のほぼ中心部に固定連結部１２の軸１２ａが取り付けられ、この軸１２ａを中心に回動して閉じたときに、図１に示すように、表示パネル７に対応する部分の上方を覆うように構成されている。また、前蓋体１１は、後蓋体１０の前後方向における長さのほぼ２倍の大きさに形成され、その前端部がほぼＬ字状に屈曲形成され、図１に示すように、閉じたときに鍵盤部６に対応する部分を覆うように構成されている。
【００２７】
また、前蓋体１１の前端部には、図３および図４に示すように、楽器本体１における左右一対の側板４の内面にそれぞれ設けられたガイド溝１６に沿って移動するガイド突起１７が設けられている。このガイド溝１６は、側板４の上辺に沿って前端部から後端部側に亘って連続して形成されている。すなわち、このガイド溝１６は、図４に示すように、前端部から後端部に向けて上側に緩やかに傾斜し、その頂上部から後端部に向けて下側に緩やかに傾斜するように形成されている。
【００２８】
この場合、ガイド溝１６の前端部には、図４に示すように、ほぼ垂直下方に向けて延出された縦溝部１６ａが形成されている。また、ガイド溝１６の後端部には、図４および図５に示すように、前蓋体１１のガイド突起１７を係脱可能に係止する係止部１８が設けられている。この係止部１８は、図５に示すように、ガイド溝１６に対するガイド突起１７の係止位置を変えて係脱可能に係止する複数の係止凹部１８ａ〜１８ｃが設けられている。すなわち、これら係止凹部１８ａ〜１８ｃは、ガイド溝１６に沿ってその後端部に順次連続して設けられ、それぞれガイド突起１７が係脱可能に係合し、これによりガイド突起１７の係止位置を変えるように構成されている。
【００２９】
このような鍵盤楽器の鍵盤蓋８では、図１に示すように、後蓋体１０と前蓋体１１とを閉じると、後蓋部１０が楽器本体１内の表示パネル７の上方に対応して配置されると共に、前蓋体１１が楽器本体１内の鍵盤部６の上方に対応して配置され、これにより後蓋体１０と前蓋体１１とで鍵盤部６および表示パネル７を覆うことができる。このときには、可動連結部１３の回動軸１４が図７に示すようにスライド部１５の軸受孔１５ａ内に回動可能な状態で配置される。また、前蓋体１１の前端部に設けられたガイド突起１７が楽器本体１の側板４に形成されたガイド溝１６の前端部の縦溝部１６ａ内に位置し、これにより前蓋部１１の前端部が鍵盤部６の前端部を覆って配置される。
【００３０】
また、この鍵盤蓋８を開くときには、図１０に示すように、前蓋体１１の前端部を持ち上げて後方に移動させると、前蓋体１１のガイド突起１７がガイド溝１６の縦溝部１６ａから押し上げられると共に、固定連結部１２の軸１２ａを中心に後蓋体１０が上方に向けて回動しながら可動連結部１３の回動軸１４がスライド部１５の軸受孔１５ａ内で回動する。これにより、可動連結部１３の回動軸１４を中心に前蓋体１１の後端部が持ち上げられると共に、前蓋体１１のガイド突起１７がガイド溝１６に沿って後方に移動するので、後蓋体１０と前蓋体１１とが回動しながら徐々に開く。
【００３１】
そして、前蓋体１１のガイド突起１７がガイド溝１６に沿って更に後方に移動し、固定連結部１２の軸１２ａを中心に後蓋体１０が所定角度回動すると、図８に示すように、可動連結部１３の回動軸１４を中心に前蓋体１１の後端部が所定の高さに持ち上げられると共に、可動連結部１３の回動軸１４が所定角度回動してスライド部１５のスライド溝１５ｂ内に挿入可能な状態になる。この状態で、更に前蓋体１１のガイド突起１７がガイド溝１６に沿って後方に移動すると、図９に示すように、可動連結部１３の回動軸１４が回動しながらスライド部１５のスライド溝１５ｂ内を前蓋体１１の裏面に沿って相対的に移動し、図１１に示すように、固定連結部１２の軸１２ａを中心に後蓋体１０が更に回動すると共に、前蓋体１１が上部後方に向けて移動する。
【００３２】
この後、図９に示すように、可動連結部１３の回動軸１４が更にスライド部１５のスライド溝１５ｂ内を相対的にスライドしてスライド溝１５ｂの前端部に当接すると、後蓋体１０の回動が停止する。この状態で、前蓋体１１のガイド突起１７がガイド溝１６に沿って更に移動して、ガイド溝１６の後端部に設けられた係止部１８の係止凹部１８ａ〜１８ｃのいずれかに係止されると、前蓋体１１の開動作が停止する。これにより、図２に示すように、後蓋体１０と前蓋体１１とが楽器本体１上に起立した状態で保持される。この場合、ガイド突起１７が係止部１８における中間の係止凹部１８ｂに係止されると、前蓋体１１が所定角度に傾いた状態で保持され、また前側の係止凹部１８ａに係止されると、前蓋体１１が所定角度よりも少し緩やかに傾いた状態で保持され、逆に後側の係止凹部１８ｃに係止されると、前蓋体１１が所定角度よりも少し急な角度に傾いた状態で保持される。
【００３３】
このように、この鍵盤楽器の鍵盤蓋８によれば、後蓋体１０と前蓋体１１とのうち、後蓋体１０の後端部が固定連結部１２によって楽器本体１に回動可能に取り付けられ、これら後蓋体１０と前蓋体１１とが可動連結部１３の回動軸１４によって回動可能に連結されていると共に、この回動軸１４が可動連結部１３のスライド部１５によって前蓋体１１の裏面に沿って相対的に移動可能に保持されているので、開蓋時に後蓋体１０が固定連結部１２を中心に上方に向けて回動すると共に、後蓋体１０と前蓋体１１とが可動連結部１３の回動軸１４を中心に回動し、この回動軸１４が押し上げられて可動連結部１３のスライド部１５に沿って移動することにより、後蓋体１０と前蓋体１１とを楽器本体１上に起立させることができる。
【００３４】
これにより、楽器本体１上に起立した後蓋体１０と前蓋体１１とを譜面台として使用することができる。この場合には、特に後蓋体１０と前蓋体１１とを回動可能に連結する可動連結部１３の回動軸１４が可動連結部１３のスライド部１５に沿って移動可能に保持されているので、後蓋体１０と前蓋体１１とのうち、前蓋体１１を後蓋体１０の前後方向における長さの２倍程度に大きく形成することができる。このため、奥行きの小さい楽器本体１の場合でも、譜面台として十分な高さを確保することができ、また前蓋体１１で後蓋体１０を楽器本体１の前面側から見えないように隠すことができると共に、この前蓋体１１の表面を楽器本体１の前面側に向けることができ、これにより外観的にもデザイン的にも好ましいものを得ることができる。
【００３５】
また、可動連結部１３は、後蓋体１０と前蓋体１１とを相対的に所定角度回動させた後に、回動軸１４がスライド部１５のスライド溝１５ｂ内に沿って相対的に移動する構成であることにより、開蓋時に後蓋体１０と前蓋体１１とが可動連結部１３の回動軸１４を中心に回動するときには、前蓋体１１が後蓋体１０の前端部を持ち上げるため、後蓋体１０と前蓋体１１とのほぼ全重量が加わるが、所定角度回動して回動軸１４がスライド部１５のスライド溝１５ｂ内に沿って相対的に移動するときには、後蓋体１０が前蓋体１１を支持する支え棒としての機能を果たすので、後蓋体１０と前蓋体１１との全重量がそのまま加わることがなく、軽い力で容易に後蓋体１０と前蓋体１１とを開くことができる。
【００３６】
また、閉蓋時には、可動連結部１３の回動軸１４がスライド部１５のスライド溝１５ｂ内に沿って相対的に移動した後、後蓋体１０と前蓋体１１とが回動軸１４を中心に回動して鍵盤部６および表示パネル７の各上方を覆って閉じるので、後蓋体１０と前蓋体１１とが急激に閉じるのを防ぐことができる。このため、従来例のようなダンパー部材を用いなくても、開閉操作性が良く、しかも安全性の高いものを得ることができる。
【００３７】
更に、前蓋体１１の前端部には、楽器本体１に設けられたガイド溝１６内に沿って移動するガイド突起１７が設けられ、このガイド溝１６の後端部には、ガイド突起１７を係脱可能に係止する係止部１８が設けられているので、鍵盤蓋８の開閉時に前蓋体１１のガイド突起１７がガイド溝１６内に沿って移動することにより、前蓋体１１を円滑に移動させることができると共に、前蓋体１１が完全に開いて楽器本体１上に起立したときには、ガイド突起１７が楽器本体１の係止部１８に係止されるため、後蓋体１０と前蓋体１１とが勝手に閉じるのを確実に防ぐことができ、これによっても安全性の高いものを得ることができる。
【００３８】
この場合、特に係止部１８がガイド溝１６に対するガイド突起１７の係止位置を変えて係脱可能に係止する複数の係止凹部１８ａ〜１８ｃを有しているので、後蓋体１０と前蓋体１１とを完全に開いて楽器本体１上に起立させたときに、前蓋体１１のガイド突起１７を係止部１８の複数の係止凹部１８ａ〜１８ｃのいずれかに係止させることにより、楽器本体１に対する前蓋体１１の傾きを変えることができ、これにより使用者の好みに応じて楽器本体１上に起立した前蓋体１１の傾きを調節することができるので、使い勝手の良いものを得ることができる。
【００３９】
（実施形態２）
次に、図１２〜図１５を参照して、この発明を適用した鍵盤楽器の鍵盤蓋の実施形態２について説明する。なお、図１〜図１１に示された実施形態１と同一部分には同一符号を付して説明する。
この鍵盤楽器の鍵盤蓋８は、後蓋体１０と前蓋体１１とを連結する可動連結部２０が実施形態１と異なる構造で、これ以外は実施形態１とほぼ同じ構造になっている。すなわち、この可動連結部２０は、後蓋体１０の前端部における両側に丸棒状の回動軸２１を設け、前蓋部１１の両側にスライド部２２を設け、このスライド部２２に回動軸２１を移動可能に保持するスライド溝２３を前蓋体１１の下面に沿って前後方向（図１３では左右方向）に設け、このスライド溝２３の前後の各端部に回動軸２１を回動可能に保持する保持溝２４、２５を傾斜させて設けた構成になっている。
【００４０】
このような可動連結部２０を備えた鍵盤蓋８では、後蓋体１０と前蓋体１１とを閉じると、図１３に示すように、後蓋体１０の回動軸２１が前蓋体１１に設けられたスライド部２２のスライド溝２３における後部側（図１３では右側）の保持溝２５内に配置され、この状態で実施形態１と同様に後蓋体１０と前蓋体１１とが表示パネル７および鍵盤部６を覆う。また、鍵盤蓋８を開くときには、図１０に示したように、前蓋体１１の前端部を持ち上げて後方に移動させ、前蓋体１１のガイド突起１７をガイド溝１６に沿って後方に移動させると、図１４に示すように、後蓋体１０の回動軸２１が前蓋体１１のスライド部２２におけるスライド溝２３の後部側の保持溝２５からスライド溝２３内に移動し、このスライド溝２３内を相対的に移動する。
【００４１】
そして、前蓋体１１を更に後方に向けて移動させると、後蓋体１０の回動軸２１が前蓋体１１のスライド部２２におけるスライド溝２３内を前側に向けて相対的に移動して、図１５に示すように、スライド溝２３の前部側の保持溝２４内に挿入する。この状態で、更に前蓋体１１が後方に向けて移動すると、後蓋体１０の回動軸２１が前蓋体１１のスライド部２２におけるスライド溝２３の前部側の保持溝２４内で回動しながら後蓋体１０の前端部および前蓋体１１の後端部が押し上げられる。
【００４２】
すなわち、後蓋体１１は固定連結部１２の軸１２ａを中心に前部側が上方に向けて回動すると共に、前蓋体１１は前端部のガイド突起１７がガイド溝１６に沿って後方に移動しながら、回動軸２１を中心に回動するので、前蓋体１１の後部側が押し上げられる。このときには、後蓋体１０の回動軸２１が前蓋体１１のスライド部２２におけるスライド溝２３の前側の保持溝２４内に挿入された状態で回動しながら、前蓋体１１の後部側が上方に移動するので、後蓋体１０と前蓋体１１とが徐々に楽器本体１上に起立しながら開く。この後は、実施形態１と同様、前蓋体１１のガイド突起１７がガイド溝１６の後端部に係止部１８の係止凹部１８ａ〜１８ｃのいずれかに係止される。
【００４３】
このように、この可動連結部２０を備えた鍵盤蓋８においても、開蓋時に後蓋体１０の回動軸２１が前蓋体１１のスライド部２２におけるスライド溝２３内を相対的にスライドしてスライド溝２３の前部側の保持溝２４内に挿入し、この状態で後蓋体１０が固定連結部１２を中心に上方に向けて回動すると共に、後蓋体１０と前蓋体１１とが可動連結部２０の回動軸２１を中心に回動しながら押し上げられ、後蓋体１０と前蓋体１１とが楽器本体１上に起立するので、この楽器本体１上に起立した後蓋体１０と前蓋体１１とを譜面台として使用することができる。
【００４４】
この場合にも、後蓋体１０と前蓋体１１とを回動可能に連結する可動連結部２０の回動軸２１がスライド部２２のスライド溝２３に沿って移動可能に保持されているので、実施形態１と同様、後蓋体１０と前蓋体１１とのうち、前蓋体１１を後蓋体１０の前後方向における長さの２倍程度に大きく形成することができる。このため、奥行きの小さい楽器本体１の場合でも、譜面台として十分な高さを確保することができる。また後蓋体１０を前蓋体１１で楽器本体１の前面側から見えないように隠すことができると共に、この前蓋体１１の表面を楽器本体１の前面側に向けることができ、これにより外観的にもデザイン的にも好ましいものを得ることができる。
【００４５】
また、この可動連結部２０は、開蓋時に後蓋体１０の回動軸２１が前蓋体１１のスライド部２２におけるスライド溝２３内を相対的にスライドしてスライド溝２３の前部側の保持溝２４内に挿入し、この状態で後蓋体１０が固定連結部１２を中心に上方に向けて回動すると共に、後蓋体１０と前蓋体１１とが回動軸２１を中心に回動しながら回動軸２１が押し上げられるので、回動軸２１がスライド溝２３内を相対的に移動するときには、前蓋体１１のみの重量が加わるだけで、軽く前蓋体１１をスライドさせることができると共に、後蓋体１０と前蓋体１１とが回動軸２１を中心に回動ときには、後蓋体１０が前蓋体１１を支持する支え棒としての機能を果たすので、後蓋体１０と前蓋体１１との全重量がそのまま加わることがなく、軽い力で容易に後蓋体１０と前蓋体１１とを開くことができる。
【００４６】
また、閉蓋時には、後蓋体１０と前蓋体１１とが可動連結部２０の回動軸２１を中心に回動した後、回動軸２１がスライド部２２のスライド溝２３内に沿って移動して鍵盤部６および表示パネル７の各上方を覆って閉じるので、実施形態１と同様、後蓋体１０と前蓋体１１とが急激に閉じるのを防ぐことができる。このため、この可動連結部２０においても、従来例のようなダンパー部材を用いなくても、開閉操作性が良く、安全性をも確保することができる。更に、この場合にも、前蓋体１１のガイド突起１７がガイド溝１６の後端部に係止部１８の係止凹部１８ａ〜１８ｃのいずれかに係止されるので、前蓋体１１が勝手に閉じるのを確実に防ぐことができると共に、楽器本体１上に起立した前蓋体１１の傾きをも調節することができ、使い勝手の良いものを得ることができる。
【００４７】
（実施形態３）
次に、図１６〜図２２を参照して、この発明を適用した鍵盤楽器の鍵盤蓋の実施形態３について説明する。この場合にも、図１〜図１１に示された実施形態１と同一部分には同一符号を付して説明する。
この鍵盤楽器の鍵盤蓋３０は、図１６〜図２２に示すように、前後２つに分割された後蓋体３１と前蓋体３２とを備えている。後蓋体３１は、その後部（図１では右側部）が楽器本体１の左右一対の側板４に固定連結部１２によって上下方向に回動可能に取り付けられている。この固定連結部１２は、実施形態１と同様、左右一対の側板４の内面にそれぞれ固定された軸１２ａを後蓋体３１の後部両側にそれぞれ回動可能に取り付けることにより、これら軸１２ａを中心に後蓋体３１が上下方向に回動するように構成されている。
【００４８】
前蓋体３２は、図１６に示すように、後蓋体３１の前端部（図１６では左端部）に可動連結部３３によって回動可能で且つスライド可能に連結されている。この可動連結部３３は、図１６〜図２０に示すように、前蓋体３２の後端に設けられた回動軸３４と、この回動軸３４を後蓋体３１の裏面（図１６では下面）に沿って前後方向に移動可能に保持するスライド部３５とを備えている。この場合にも、回動軸３４は、実施形態１と同様、その形状が丸棒の両側を切り欠いた形状のほぼ板状に形成されている。また、スライド部３５は、図２１および図２２に示すように、後蓋体３１の前後方向に沿って設けられた帯板状に形成され、その前端部にほぼ円形状の軸受孔３５ａが形成されていると共に、この軸受孔３５ａから後側に連続するスライド溝３５ｂが回動軸３４の直径よりも少し狭い幅で形成された構成になっている。
【００４９】
これにより、可動連結部３３は、図１６および図２１に示すように、回動軸３４がガイド部３５の軸受孔３５ａに配置された状態で、後蓋体３１と前蓋体３２とを開くときに、図１７に示すように、回動軸３４が軸受孔３５ａ内で回動しながら上方に移動することにより、後蓋体３１と前蓋体３２とが徐々に開き、回動軸３４が所定角度回動すると、図１８および図２２に示すように、回動軸３４がスライド部３５のスライド溝３５ｂ内に挿入可能な状態になり、この状態で回動軸３４がスライド溝３５ｂ内を相対的に移動することにより、図２０に示すように、後蓋体３１の前部を前蓋体３２の上部後方に突出させながら、後蓋体３１と前蓋体３２とを楽器本体１上に起立させるように構成されている。
【００５０】
この場合、後蓋体３１と前蓋体３２とは、図１６〜図２０に示すように、それぞれ異なる大きさで形成されている。すなわち、後蓋体３１は、前蓋体３２の前後方向における長さのほぼ２倍の大きさに形成され、その後端部が円弧状に湾曲して形成され、この湾曲した部分のほぼ中心部に固定連結部１２の軸１２ａが取り付けられ、この軸１２ａを中心に回動して閉じたときに、表示パネル７および鍵盤部６の後部側のほぼ半分を覆うように構成されている。また、前蓋体３２は、後蓋体３１の前後方向における長さのほぼ半分の大きさに形成され、その前端部がほぼＴ字状に屈曲形成され、閉じたときに鍵盤部６の前部側のほぼ半分を覆うように構成されている。
【００５１】
また、前蓋体３２の前端部には、実施形態１と同様、楽器本体１における左右一対の側板４の内面にそれぞれ設けられたガイド溝１６に沿って移動するガイド突起１７が設けられている。このガイド溝１６は、側板４の上辺に沿って前端部から後端部側に亘って連続して形成されている。すなわち、このガイド溝１６は、図４に示した実施形態１のように、前端部から後端部に向けて上方に緩やかに傾斜し、その頂上部から後端部に向けて下方に緩やかに傾斜するように形成されている。
【００５２】
この場合にも、ガイド溝１６の前端部には、図４に示した実施形態１と同様、ほぼ垂直下方に向けて延出された縦溝部１６ａがて形成されている。また、ガイド溝１６の後端部には、図４および図５に示した実施形態１と同様、前蓋体３２のガイド突起１７を係脱可能に係止する係止部１８が設けられている。この係止部１８も、ガイド溝１６に対するガイド突起１７の係止位置を変えて係脱可能に係止する複数の係止凹部１８ａ〜１８ｃが設けられている。すなわち、これら係止凹部１８ａ〜１８ｃも、ガイド溝１６に沿ってその後端部に順次連続して設けられ、それぞれガイド突起１７が係脱可能に係合し、これによりガイド突起１７の係止位置を変えるように構成されている。
【００５３】
このような鍵盤楽器の鍵盤蓋３０においても、実施形態１と同様、後蓋体３１と前蓋体３２とを閉じると、後蓋部３１が楽器本体１内の表示パネル７および鍵盤部６の後部側のほぼ半分の上側に対応して配置されると共に、前蓋体３２が楽器本体１内の鍵盤部６の前部側のほぼ半分の上側に対応して配置され、これにより後蓋体３１と前蓋体３２とで鍵盤部６および表示パネル７を覆うことができる。このときには、可動連結部３３の回動軸３４がスライド部３５の軸受孔３５ａに回動可能な状態で配置される。また、前蓋体３２の前端部に設けられたガイド突起１７が楽器本体１の側板４に形成されたガイド溝１６の前端部の縦溝部１６ａ内に位置し、これにより前蓋部３２の前端部が鍵盤部６の前端部を覆って配置される。
【００５４】
また、この鍵盤蓋３０を開くときには、図１７に示すように、前蓋体３２の前端部を持ち上げて後方に移動させると、前蓋体３２のガイド突起１７がガイド溝１６の縦溝部１６ａから押し上げられてガイド溝１６に沿って後方に向けて移動すると共に、固定連結部１２の軸１２ａを中心に後蓋体３１が回動しながら可動連結部３３の回動軸３４がスライド部３５の軸受孔３５ａ内で回動する。これにより、回動軸３４を中心に前蓋体３２の後端部が持ち上げられ、後蓋体３１と前蓋体３２とが回動しながら徐々に開く。
【００５５】
そして、前蓋体３２のガイド突起１７がガイド溝１６に沿って更に後方に移動して、固定連結部１２の軸１２ａを中心に後蓋体３１が所定角度回動すると、図８に示したように、可動連結部３３の回動軸３４を中心に前蓋体３２の後端部が所定の高さに持ち上げられると共に、可動連結部３３の回動軸３４が所定角度回動してスライド部３５のスライド溝３５ｂ内に挿入可能な状態になる。この状態で、更に前蓋体３２のガイド突起１７がガイド溝１６に沿って後方に移動すると、図１８および図２２に示すように、可動連結部３３の回動軸３４が回動しながらスライド部３５のスライド溝３５ｂ内を後蓋体３１の裏面に沿って相対的に移動し、固定連結部１２の軸１２ａを中心に後蓋体３１が更に回動すると共に、前蓋体３２が上部後方に向けて移動する。
【００５６】
この後、図１９および図２２に示すように、可動連結部３３の回動軸３４がスライド部３５のスライド溝３５ｂ内を相対的にスライドしてスライド溝３５ｂの後端部に当接し、の状態で前蓋体３２のガイド突起１７がガイド溝１６に沿って更に後方に移動すると、固定連結部１２の軸１２ａを中心に後蓋体３１が更に回動する。そして、前蓋体３２のガイド突起１７がガイド溝１６の後端部に係止部１８の係止凹部１８ａ〜１８ｃのいずれかに係止されると、図２０に示すように、後蓋体３１の回動が停止すると共に、前蓋体３２の回動および移動が停止する。
【００５７】
これにより、図２０に示すように、後蓋体３１と前蓋体３２とが楽器本体１上に起立する。この場合にも、ガイド突起１７が係止部１８における中間の係止凹部１８ｂに係止されると、後蓋体３１が前蓋体３２によって所定角度に傾いた状態で保持され、また前側の係止凹部１８ａに係止されると、後蓋体３１が前蓋体３２によって所定角度よりも少し緩やかに傾いた状態で保持され、逆に後側の係止凹部１８ｃに係止されると、後蓋体３１が前蓋体３２によって所定角度よりも少し急な角度に傾いた状態で保持される。
【００５８】
このように、この鍵盤楽器の鍵盤蓋３０によれば、後蓋体３１と前蓋体３２とのうち、後蓋体３１の後端部が固定連結部１２によって楽器本体１に回動可能に取り付けられ、これら後蓋体３１と前蓋体３２とが可動連結部３３の回動軸３４によって回動可能に連結されていると共に、この回動軸３４が可動連結部３３のスライド部３５によって後蓋体３１の裏面に沿って相対的に移動可能に保持されているので、実施形態１と同様、開蓋時に後蓋体３１が固定連結部１２を中心に上方に向けて回動すると共に、後蓋体３１と前蓋体３２とが可動連結部３３の回動軸３４を中心に回動し、この回動軸３４が押し上げると共に可動連結部３３のスライド部３５に沿って移動することにより、後蓋体３１と前蓋体３２とを楽器本体１上に起立させることができる。
【００５９】
これにより、楽器本体１上に起立した後蓋体３１と前蓋体３２とを譜面台として使用することができる。この場合には、特に後蓋体３１と前蓋体３２とを回動可能に連結する可動連結部３３の回動軸３４が可動連結部３３のスライド部３５に沿って移動可能に保持されているので、後蓋体３１と前蓋体３２とのうち、後蓋体３１を前蓋体３２の前後方向における長さの２倍程度に大きく形成することができる。このため、奥行きの小さい楽器本体１の場合でも、譜面台として十分な高さを確保することができる。また、前蓋体３２の前端部がほぼＴ字状に形成されているので、譜面台として使用するときに、譜面の下端部を保持することができ、これにより譜面を良好に立てかけることができる。
【００６０】
また、この可動連結部３３は、後蓋体３１と前蓋体３２とを相対的に所定角度回動させた後に、回動軸３４がスライド部３５のスライド溝３５ｂ内に沿って移動する構成であることにより、実施形態１と同様、開蓋時に後蓋体３１と前蓋体３２とが可動連結部３３の回動軸３４を中心に回動するときには、前蓋体３２が後蓋体３１の前端部を持ち上げるため、後蓋体３１と前蓋体３２との全重量が加わるが、回動軸３４が所定角度回動してスライド部３５のスライド溝３５ｂ内に沿って相対的に移動するときには、前蓋体３２が後蓋体３１を支持する支え棒としての機能を果たすので、後蓋体３１と前蓋体３２との全重量がそのまま加わることがなく、軽い力で容易に後蓋体３１と前蓋体３２とを開くことができる。
【００６１】
また、閉蓋時には、可動連結部３３の回動軸３４がスライド部３５のスライド溝３５ｂ内に沿って移動した後、後蓋体３１と前蓋体３２とが回動軸３４を中心に回動して鍵盤部６および表示パネル７の各上方を覆って閉じるので、実施形態１と同様、後蓋体３１と前蓋体３２とが急激に閉じるのを防ぐことができる。このため、この鍵盤蓋３０においても、実施形態１と同様、従来例のようなダンパー部材を用いなくても、開閉操作性が良く、安全性の高いものをも得ることができる。
【００６２】
更に、前蓋体３２の前端部には、楽器本体１に設けられたガイド溝１６内に沿って移動するガイド突起１７が設けられ、このガイド溝１６の後端部には、ガイド突起１７を係脱可能に係止する係止部１８が設けられているので、実施形態１と同様、鍵盤蓋３０の開閉時に前蓋体３２のガイド突起１７がガイド溝１６内に沿って移動することにより、前蓋体３２を円滑に移動させることができると共に、前蓋体３２が完全に開いて楽器本体１上に起立したときには、ガイド突起１７が楽器本体１の係止部１８に係止されるため、後蓋体３１と前蓋体３２とが勝手に閉じるのを確実に防ぐことができ、これによっても安全性の高いものを得ることができる。
【００６３】
この場合にも、係止部１８がガイド溝１６に対するガイド突起１７の係止位置を変えて係脱可能に係止する複数の係止凹部１８ａ〜１８ｃを有しているので、後蓋体３１と前蓋体３２とを完全に開いて楽器本体１上に起立させたときに、前蓋体３２のガイド突起１７を係止部１８の複数の係止凹部１８ａ〜１８ｃのいずれかに係止させることにより、楽器本体１に対する前蓋体３２の傾きを変えることができ、これにより使用者の好みに応じて楽器本体１上に起立した後蓋体３１と前蓋体３２との両者の傾きを調節することができるので、使い勝手の良いものを得ることができる。
【００６４】
なお、上記実施形態３では、可動連結部３３が、ほぼ平板状に形成された回動軸３４をスライド部３５の軸受孔３５ａ内で所定角度回動させた後、回動軸３４をスライド部３５のスライド溝３５ｂに沿って移動させるように構成されている場合について述べたが、これに限らず、例えば図１２〜図１５に示した実施形態２とほぼ同様に構成しても良い。この場合における可動連結部３３は、前蓋体３２の後端部における両側に丸棒状の回動軸２１を設け、後蓋部３１の両側にスライド部２２を設け、このスライド部２２に回動軸２１を移動可能に保持するスライド溝２３を前後方向に沿って設け、このスライド溝２３の前後の各端部に回動軸２１を回動可能に保持する保持溝２４、２５を傾斜させて設けた構成になっている。
【００６５】
このような可動連結部３３を備えた鍵盤蓋３０においても、実施形態２とほぼ同様、開蓋時に前蓋体３２の回動軸２１が後蓋体３１のスライド部２２におけるスライド溝２３内を相対的にスライドしてスライド溝２３の前部側の保持溝２４内に挿入し、この状態で後蓋体３１が固定連結部１２を中心に上方に向けて回動すると共に、後蓋体３１と前蓋体３２とが可動連結部３３の回動軸２１を中心に回動しながら押し上げられ、これにより後蓋体３１と前蓋体３２とが楽器本体１上に起立するので、実施形態３と同様の効果がある。
【００６６】
また、上記実施形態１〜３およびその変形例では、ガイド溝１６の後端部に形成された係止部１８が、ガイド溝１６の後端部に複数の係止凹部１８ａ〜１８ｃをガイド溝１６に沿って順次連続させて形成した構成になっているが、これに限らず、例えば図２３に示す変形例のように、係止部４０は、複数の係止凹部４０ａ〜４０ｃをガイド溝１６に対し垂直方向に沿って順次連続させて形成した構成でも良い。
【００６７】
このような構成の係止部４０においても、実施形態１〜３と同様、後蓋体１０または３１と前蓋体１１または３２とを完全に開いて楽器本体１上に起立させたときに、前蓋体１１または３２のガイド突起１７を係止部４０の複数の係止凹部４０ａ〜４０ｃのいずれかに係止させることにより、楽器本体１に対する前蓋体１１または３２の傾きを変えることができ、これにより使用者の好みに応じて楽器本体１上に起立した後蓋体１０または３１と前蓋体１１または３２との両者の傾きを調節することができる。
【００６８】
さらに、上記実施形態１〜３およびその変形例では、鍵盤蓋８、３０を後蓋体１０、３１と前蓋体１１、３２との前後２つに分割した場合について述べたが、これに限らず、例えば３つ以上の蓋体に分割しても良い。この場合には、最後部の蓋体を固定連結部１２で楽器本体１に回動可能に連結し、この最後部の蓋体とその前側に位置する蓋体とを可動連結部１３、３３によって回動可能で且つスライド可能に連結し、これ以外の蓋体をヒンジ部によって折り畳み可能に順次連結すれば良い。
【図面の簡単な説明】
【００６９】
【図１】この発明を適用した鍵盤楽器の鍵盤蓋を閉じた状態における一部破断した側面図である。（実施形態１）
【図２】図１の鍵盤蓋を開いた状態の一部破断した側面図である。
【図３】図２の状態における鍵盤楽器の外観斜視図である。
【図４】図３における楽器本体の側板と前蓋体とを分解した要部の斜視図である。
【図５】図４のガイド溝の係止部を示した拡大図である。
【図６】図１の可動連結部を示した要部の分解斜視図である。
【図７】図１の鍵盤蓋において後蓋体と前蓋体とを閉じた状態の可動連結部の要部を示した拡大断面図である。
【図８】図７の状態で後蓋体と前蓋体とを開くときに回動軸がスライド部の軸受孔内で回動する状態の可動連結部の要部を示した拡大断面図である。
【図９】図８の状態で更に後蓋体と前蓋体とを開いたときに回動軸がスライド部のスライド溝内を移動する状態の可動連結部の要部を示した拡大断面図である。
【図１０】図１の状態で鍵盤蓋を開くときに可動連結部の回動軸がスライド部の軸受孔内で回動して後蓋体と前蓋体とが開く状態の一部破断した側面図である。
【図１１】図１０の状態で鍵盤蓋を更に開いたときに可動連結部の回動軸がスライド溝を移動して後蓋体と前蓋体とが起立する状態の一部破断した側面図である。
【図１２】この発明を適用した鍵盤楽器の鍵盤蓋における可動連結部を示した要部の分解斜視図である。（実施形態２）
【図１３】図１２において後蓋体と前蓋体とを閉じた状態の可動連結部の要部を示した拡大断面図である。
【図１４】図１３の状態で後蓋体と前蓋体とを開くときに回動軸がスライド部のスライド溝内を移動する状態の可動連結部の要部を示した拡大断面図である。
【図１５】図１４の状態で更に後蓋体と前蓋体とを開いたときに回動軸がスライド部の保持溝内で回動する状態の可動連結部の要部を示した拡大断面図である。
【図１６】この発明を適用した鍵盤楽器の鍵盤蓋を閉じた状態における一部破断した側面図である。（実施形態３）
【図１７】図１６の状態で鍵盤蓋を開くときに可動連結部の回動軸がスライド部の軸受孔内で回動して後蓋体と前蓋体とが開く状態の一部破断した側面図である。
【図１８】図１７の状態で更に鍵盤蓋を開いて回動軸がスライド部のスライド溝内を移動する状態の一部破断した側面図である。
【図１９】図１８の状態で更に鍵盤蓋を開いて回動軸がスライド溝の端部に当接した状態の一部破断した側面図である。
【図２０】図１９の状態で更に鍵盤蓋を更に開き、前蓋体のガイド突起を係止部に係止させて後蓋体と前蓋体とを起立させた状態の一部破断した側面図である。
【図２１】図１６の鍵盤蓋において後蓋体と前蓋体とを閉じた状態の可動連結部の要部を示した拡大断面図である。
【図２２】図１８の状態で後蓋体と前蓋体とを開くときに回動軸がスライド部のスライド溝内を移動する状態の可動連結部の要部を示した拡大断面図である。
【図２３】ガイド溝における係止部の変形例を示した拡大図である。
【符号の説明】
【００７０】
１  楽器本体
６  鍵盤部
７  表示パネル
８、３０  鍵盤蓋
１０、３１  後蓋体
１１、３２  前蓋体
１２  固定連結部
１３、２０、３３  可動連結部
１４、２１、３４  回動軸
１５、２２、３５  スライド部
１５ａ、３５ａ  軸受孔
１５ｂ、２３、３５ｂ  スライド溝
１６  ガイド溝
１７  ガイド突起
１８、４０  係止部
１８ａ〜１８ｃ、４０ａ〜４０ｃ  係止凹部
２４、２５  保持溝
【図１】
2006023411.tif 000003
【図２】
2006023411.tif 000004
【図３】
2006023411.tif 000005
【図４】
2006023411.tif 000006
【図５】
2006023411.tif 000007
【図６】
2006023411.tif 000008
【図７】
2006023411.tif 000009
【図８】
2006023411.tif 000010
【図９】
2006023411.tif 000011
【図１０】
2006023411.tif 000012
【図１１】
2006023411.tif 000013
【図１２】
2006023411.tif 000014
【図１３】
2006023411.tif 000015
【図１４】
2006023411.tif 000016
【図１５】
2006023411.tif 000017
【図１６】
2006023411.tif 000018
【図１７】
2006023411.tif 000019
【図１８】
2006023411.tif 000020
【図１９】
2006023411.tif 000021
【図２０】
2006023411.tif 000022
【図２１】
2006023411.tif 000023
【図２２】
2006023411.tif 000024
【図２３】
2006023411.tif 000025